(57)【要約】本発明は無線通信システムの第１の無線基地局において、セルにおける位置決めのための参照信号を送信する方法に関する。そのセルは、第１の無線基地局よりホストされ複数の送信点によりサービスを受ける。各送信点は第１の属性の値と関係づけられ、その第１の属性は位置決めのための参照信号の送信が前記関係づけられた送信点に関して可能であるかどうかを示す。その方法は、前記第１の属性の前記値に基づいて前記各送信点の内の少なくとも１つの送信点を選択する工程（５１０）と、前記選択された少なくとも１つの送信点だけから前記セルにおける位置決めのための前記参照信号を送信する工程（５２０）とを有する。
2016500951.tif 000002
【特許請求の範囲】
【請求項１】
無線通信システムの第１の無線基地局（８００）において、前記第１の無線基地局よりホストされ複数の送信点によりサービスを受けるセルにおいて位置決めのための参照信号を送信する方法であって、各送信点は第１の属性の値と関係づけられ、前記第１の属性は位置決めのための前記参照信号の送信が前記関係づけられた送信点に関して可能であるかどうかを示し、前記方法は、
前記第１の属性の前記値に基づいて前記各送信点の内の少なくとも１つの送信点を選択する工程（５１０）と、
前記選択された少なくとも１つの送信点だけから前記セルにおける位置決めのための前記参照信号を送信する工程（５２０）とを有することを特徴とする方法。
【請求項２】
前記第１の属性の前記値は、前記セルのセットアップにおいて前記各送信点に対して構成設定されることを特徴とする請求項１に記載の方法。
【請求項３】
前記セルに関係づけられる第２の属性の値に基づいて前記各送信点に関する前記第１の属性の前記値を設定する工程（５０５）をさらに有し、
前記第２の属性の前記値は、前記セルのタイプを示すことを特徴とする請求項１に記載の方法。
【請求項４】
前記第１の属性の前記値は、最大送信電力と前記各送信点のアンテナ位置との内の少なくとも１つに基づいて設定されることを特徴とする請求項３に記載の方法。
【請求項５】
前記第２の属性の前記値は、前記セルのセットアップにおいて構成設定されることを特徴とする請求項３又は４に記載の方法。
【請求項６】
次の送信点特性、即ち、搬送波周波数、最大送信電力、アンテナ高、経路損失の内の少なくとも１つに基づいて前記各送信点のカバレッジを推定する工程（５００）と、
前記推定されたカバレッジと前記各送信点についてのアンテナ位置とに基づいて前記第２の属性の前記値を設定する工程（５０１）とをさらに有することを特徴とする請求項３又は４に記載の方法。
【請求項７】
前記各送信点の内の少なくとも１つは第２の無線基地局（８２０）により管理され、
前記各送信点に関する前記第１の属性の前記値を設定する工程（５０５）は、
前記第１の無線基地局により管理される前記各送信点に関する前記第１の属性の前記値を設定する工程と、
前記第２の無線基地局により管理される前記各送信点に関する前記第１の属性の前記値を設定するために前記第２の無線基地局に対して要求を送信する工程とを有することを特徴とする請求項３乃至６のいずれか１項に記載の方法。
【請求項８】
無線通信システムの第１の無線基地局（８００）であって、前記第１の無線基地局よりホストされ複数の送信点（８４０ａ，８４０ｂ，８４０ｃ）によりサービスを受けるセル（８３０）において位置決めのための参照信号を送信するよう構成された前記第１の無線基地局であって、各送信点は第１の属性の値と関係づけられ、前記第１の属性は位置決めのための前記参照信号の送信が前記関係づけられた送信点に関して可能であるかどうかを示し、前記第１の無線基地局は、
前記第１の属性の前記値に基づいて前記各送信点の内の少なくとも１つの送信点を選択するよう構成された処理回路（８０１）と、
前記選択された少なくとも１つの送信点だけから前記セルにおける位置決めのための前記参照信号を送信するよう構成された送信器（８０２）とを有することを特徴とする第１の無線基地局。
【請求項９】
前記第１の属性の前記値は、前記セルのセットアップにおいて前記各送信点に対して構成設定されることを特徴とする請求項８に記載の第１の無線基地局。
【請求項１０】
前記処理回路（８０１）は、前記セルに関係づけられる第２の属性の値に基づいて前記各送信点に関する前記第１の属性の前記値を設定するようさらに構成され、
前記第２の属性の前記値は、前記セルのタイプを示すことを特徴とする請求項８に記載の第１の無線基地局。
【請求項１１】
前記処理回路（８０１）は、最大送信電力と前記各送信点のアンテナ位置との内の少なくとも１つに基づいて、前記第１の属性の前記値を設定するよう構成されることを特徴とする請求項１０に記載の第１の無線基地局。
【請求項１２】
前記第２の属性の前記値は、前記セルのセットアップにおいて構成設定されることを特徴とする請求項１０又は１１に記載の第１の無線基地局。
【請求項１３】
前記処理回路（８０１）はさらに、
次の送信点特性、即ち、搬送波周波数、最大送信電力、アンテナ高、経路損失の内の少なくとも１つに基づいて前記各送信点のカバレッジを推定し、
前記推定されたカバレッジと前記各送信点についてのアンテナ位置とに基づいて前記第２の属性の前記値を設定するよう構成されることを特徴とする請求項１０又は１１に記載の第１の無線基地局。
【請求項１４】
前記各送信点の内の少なくとも１つは第２の無線基地局（８２０）により管理されるよう構成され、
前記第１の無線基地局はさらに、
前記第２の無線基地局への通信インタフェース（８０３）を有し、
前記処理回路（８０１）は、
前記第１の無線基地局により管理される前記各送信点に関する前記第１の属性の前記値を設定し、
前記第２の無線基地局により管理される前記各送信点に関する前記第１の属性の前記値を設定するために前記通信インタフェース（８０３）を介して前記第２の無線基地局に対して要求を送信するように構成されることにより、
前記各送信点に関する前記第１の属性の前記値を設定するよう構成されることを特徴とする請求項１０乃至１３のいずれか１項に記載の第１の無線基地局。
【発明の詳細な説明】
【技術分野】
【０００１】
この開示は位置決めに関する参照信号の送信に関し、特に、無線通信システムの無線基地局、及び、その無線基地局がホストとなり、多くの送信点によりサービスが行われるセルにおいて位置決めの参照信号を送信する無線基地局における方法に関する。
【背景技術】
【０００２】
３ＧＰＰ  ロングタームエボルーション（ＬＴＥ）は、全球移動体通信システム（ＵＭＴＳ）を改良し、より高速なデータ速度、改良された効率性、低コストなどのような改良されたサービスの点での将来的な要求を克服するために、第３世代パートナーシッププロジェクト（３ＧＰＰ）の中で開発された第４世代の移動体通信技術である。全球的陸上無線アクセスネットワーク（ＵＴＲＡＮ）は、ＵＭＴＳの無線アクセスネットワークであり、改良型ＵＴＲＡＮ（Ｅ−ＵＴＲＡＮ）は、ＬＴＥシステムの無線アクセスネットワークである。Ｅ−ＵＴＲＡＮにおいて、ユーザ機器（ＵＥ）のような無線デバイスは、ＬＴＥでは改良型ノードＢ（ｅノードＢ）として一般的には言及される無線基地局（ＲＢＳ）に無線で接続される。ＲＢＳは無線信号をＵＥに送信し、ＵＥによって送信される信号を受信することが可能な無線ネットワークノードについての一般的な用語である。ｅノードＢはＬＴＥにおいては論理ノードであり、ＲＢＳはｅノードＢの物理的な実施形の典型的な例である。
【０００３】
図１はＬＴＥシステムにおける従来の無線アクセスネットワークを図示している。送信点１０２ａを備えたｅノードＢ１０１ａは、セル１０５ａとも呼ばれる、そのｅノードＢの地理的なサービス領域内に位置するＵＥ１０３にサービスを行う。ｅノードＢ１０１ａは直接コアネットワーク（不図示）に接続される。また、ｅノードＢ１０１ａはＸ２インタフェースを介して、別のセル１０５ｂにサービスを行う送信点１０２ｂを備えた隣接するｅノードＢ１０１ｂに接続される。
【０００４】
異なった送信電力で送信を行い、そして、重複したカバレッジ領域で動作する複数の無線ネットワークノードからなる、所謂、異種展開又は異種ネットワークの使用は、セルラネットワークについての興味深い展開戦略である。図２ａに模式的に図示されているそのような展開において、ピコノード２１０のような低電力ノードは通常、これが必要とされ望まれている局所的な領域において、Ｍビット／秒で測定される高速データ速度を提供するとともに、例えば、平方メートル当り複数のユーザ又は平方メートル当りＭビット／秒で測定されるような大容量を提供することが想定されている。マクロノード２２０としてしばしば言及される大電力ノードは、カバレッジ全体の領域にサービスを提供することが想定されている。また、ピコノードとマクロノードはそれぞれ、ピコＲＢＳ、マクロＲＢＳとしても言及される。
【０００５】
図２ｂに模式的に図示されている伝統的な異種展開において、マクロノード２２０はマクロセル２２１を創成し、各ピコノード２１０はそれ自身のセル、所謂、ピコセルを２１１を創成する。このことは、ピコノード２１０と無線デバイス２１２との間で維持されるピコリンク２１３におけるダウンリンクとアップリンクのデータ送受信に加えて、ピコノード２１０はまた、セルに関係する共通信号とチャネルのフルセットを送信する。ＬＴＥ環境では、これはプライマリとセカンダリの同期信号と、セル固有の参照信号（ＣＲＳ）と、図２ｂにおいてＳＩピコとして言及され、ピコセル２１１を覆うような破線のセルにより図示された、セルに関係したシステム情報（ＳＩ）とを含む。
【０００６】
図２ｂに図示された展開に対する代替案では、図２ｃに図示されているように、ピコセル２１０の範囲、即ち、ピコノードによりカバーされるサブ領域２１４において、端末又は無線デバイス２１２は、同時にマクロノード２２０とピコノード２１０の両方に接続されることもある。領域２２２をカバーするマクロノード２２０に対しては、端末２１２は、例えば、モビリティのような無線資源制御（ＲＲＣ）のために用いられる接続又はリンクを維持する。さらにその上、端末２１２は主としてデータ送信のために用いられる、ピコノード２１０に対する接続又はリンクを維持する。このアプローチは、複合セル又はソフトセルアプローチとして言及される。複合セルに関係したＳＩは図２ｃではＳＩとして言及され、領域２２２を覆うような破線のセルにより図示されている。
【０００７】
セルと送信点との間の区別は、複合セルアプローチの重要な側面である。各セルはＣＲＳが導出されるユニークなセル識別子をもつ。そのセル識別子の情報を用いて、端末はセルのＣＲＳ構造を導出し、ネットワークへのアクセスを必要とするＳＩを取得することができる。これに対して、送信点は主として、端末が一定の領域においてデータ送信を受信できる１つ以上の配置されたアンテナである。結論として、セルはそのセル領域をカバーする１つ以上のアンテナ又は送信点があるように展開される。後者の場合、そのセルは従って複数の送信点によりサービスを受ける。そして、各送信点はそのセルの領域をカバーする。これ以降、その領域はセルのセクタとしても言及される。
【０００８】
移動体ユーザの位置決めは、ＵＥ座標を空間上で決定するプロセスである。一度、その座標が利用可能になると、その位置は一定の場所又はロケーションにマップされる。無線通信ネットワークにおいて数多くの位置決め技術があるが、それらはその精度、実装コスト、複雑さ、異なる環境への適用性において異なる。
【０００９】
観測到達時間差（ＯＴＤＯＡ）は、３つ以上のロケーションからの到達時間差（ＴＤＯＡ）の測定に基づいてＵＥの位置を計算するためのマルチラテレーションを利用する３ＧＰＰ  ＬＴＥにより規定された位置決め技術である。位置決めを可能するためには、従って、ＵＥは少なくとも３つの地理的に離れたＲＢＳからの信号を検出することが可能であるべきである。このことは、その信号が十分に高い信号対干渉比をもつことが必要であることを示唆している。さらにその上、その信号は、サービス遅延要求を十分に合致するように頻繁に送信されることが必要である。
【００１０】
ＯＴＤＯＡ位置決めは、３ＧＰＰ標準化技術で規定された参照信号時間差（ＲＤＴＤ）測定、即ち、隣接セルと基準セルのタイミングの間の相対的な時間差を用いている。干渉の管理を行わずに位置決めのために同期信号（ＳＳ）とＣＲＳとを用いると、低いＳＩＮＲと異なるＲＢＳからの強い強度の信号の数が十分にないこととの内の少なくともいずれかのために位置決めのカバレッジの問題が生じる結果になる。これらの問題を扱い、位置決めの測定を改善するために、位置決め参照信号（ＰＲＳ）が導入された。ＰＲＳは所定のＰＲＳパターンに従ってダウンリンクで送信される。このことは、ＰＲＳを検出することができ、位置決めサービスのために必要な位置決め測定を実行するために、ＵＥが、あるセルのために用いられるのはどのＰＲＳパターンであるのかを知る必要があることを示唆している。
【００１１】
図１に図示されたもののような従来のＥ−ＵＴＲＡＮにおけるＯＴＤＯＡ位置決め方法の原理が図３ａに模式的に図示されている。セル３０５ａ−ｃは１つの送信（Ｔｘ）点があり、各送信点３０２ａ−ｃからはＰＲＳが送信される。Ｔｘ点３０２ａ−ｃは送信アンテナに相当する。１つのＴｘ点に対して複数のアンテナがある場合には、空間的な分離が依然として制限され、それらのアンテナが１点として定義される。ＵＥ３０３の位置は、異なる周辺セルのＴｘ点３０２ａ−ｃからそれぞれ送信される異なるＰＲＳのＲＳＴＤを測定することにより推定される。ＰＲＳ送信のタイミングは共通の時間ソースに対して同期される。送信時刻とＴｘ点のロケーションと測定されたＲＳＴＤの知識があれば、位置決め関数は、双曲線三辺測量によりＵＥ３０３の位置を推定できる。
【００１２】
しかしながら、図２ｃにおける複合セル展開のような１つのセル内に複数のＴｘ点をもつセル展開になると、ＯＴＤＯＡ方法は思うようには作用しない。その理由は、ＯＴＤＯＡ位置決め方法がセル当り１つのＴｘ点を想定していることにある。複数のＴｘ点は空間的にユニークでなければならず、さもなければ、図３ｂに図示しているように、三辺測量においてあいまいさが生じてしまう。セル３０５ａ−ｃの内の２つが夫々、１つのＴｘ点３０２ａ−ｂをもつ。しかしながら、それらのセルの内の１つのセル３０５ｃは地理的に分離された２つのＴｘ点３０２ｃ、３０２ｄをもつ。これら２つのＴｘ点３０２ｃ−ｄは同じセル３０５ｃに属しているので、それらは同じＰＲＳを送信する。それ故に、ＵＥ３０３は２つの異なるＲＳＴＤをセル３０５ｃに関して測定し、これはあいまいな位置決め推定の原因となる。
【発明の概要】
【００１３】
それ故に、先に概説したいくつかの問題の扱い、ＴＤＯＡ測定に依存する位置決め方法を用いて複数の送信点をもつセルを展開するネットワークにおいて正確に無線デバイスの位置をつきとめることを可能にする解決策を提供することが目的である。この目的などは独立請求項に従う方法とＲＢＳとにより、そして、従属請求項に従う実施例により達成される。
【００１４】
本発明の第１の側面に従えば、位置決めのための参照信号を送信する無線通信システムの第１の無線基地局における方法が備えられる。そのセルは、前記第１の無線基地局よりホストされ複数の送信点によりサービスを受ける。各送信点は第１の属性の値と関係づけられ、前記第１の属性は位置決めのための参照信号の送信が前記関係づけられた送信点に関して可能であるかどうかを示す。その方法は、前記第１の属性の前記値に基づいて前記各送信点の内の少なくとも１つの送信点を選択する工程と、前記選択された少なくとも１つの送信点だけから前記セルにおける位置決めのための前記参照信号を送信する工程とを有する。
【００１５】
本発明の第２の側面に従えば、無線通信システムの第１の無線基地局が備えられる。前記第１の無線基地局は、前記第１の無線基地局よりホストされ複数の送信点によりサービスを受けるセルにおいて位置決めのための参照信号を送信するよう構成される。各送信点は第１の属性の値と関係づけられ、前記第１の属性は位置決めのための前記参照信号の送信が前記関係づけられた送信点に関して可能であるかどうかを示す。前記第１の無線基地局は、前記第１の属性の前記値に基づいて前記各送信点の内の少なくとも１つの送信点を選択するよう構成された処理回路と、前記選択された少なくとも１つの送信点だけから前記セルにおける位置決めのための前記参照信号を送信するよう構成された送信器とを有する。
【００１６】
実施例の利点は、セルが複数の送信点をもつ場合の展開シナリオにおいて、位置決め性能の低下が回避される点にある。
【００１７】
実施例の更なる利点は、その解決策がネットワークに低コストで実装され運用される点にある。
【００１８】
実施例の他の目的、利点、特徴などは添付図面と請求の範囲とを合わせて考慮する際、次の詳細な説明において説明される。
【図面の簡単な説明】
【００１９】
【図１】ＬＴＥにおける無線アクセスネットワークを模式的に示す図である。
【図２ａ】異種ネットワーク展開を模式的に示す図である。
【図２ｂ】従来のマクロセルとピコセルの展開を模式的に示す図である。
【図２ｃ】複合セルのアプローチを模式的に示す図である。
【図３ａ】、
【図３ｂ】ＯＴＤＯＡの原理を模式的に示す図である。
【図４ａ】、
【図４ｂ】、
【図４ｃ】、
【図４ｄ】複合セルについての幾つかのシナリオを模式的に示す図である。
【図５ａ】、
【図５ｂ】複数の実施例に従う第１のＲＢＳにおける方法を示すフローチャートである。
【図６ａ】、
【図６ｂ】複数の実施例に従うセルとＴｘ点とをモデリングする管理されたオブジェクトを模式的に示す図である。
【図７ａ】、
【図７ｂ】、
【図７ｃ】異なる複数の実施例に従うセル構成を模式的に示すシグナリング図である。
【図８】複数の実施例に従うＲＢＳの模式的に示すブロック図である。
【発明を実施するための形態】
【００２０】
次に、本発明の異なる側面について、本発明のある実施例と添付図面とを参照しながらより詳細に説明する。限定ではなく説明する目的のために、特定のシナリオや技術の具体的な詳細について説明し、異なる実施例についての完全な理解を提供する。しかしながら、これらの具体的な詳細から逸脱した他の実施例が存在しても良い。
【００２１】
さらに加えて、当業者であればここで説明する機能や手段が、プログラムされたマイクロプロセッサや汎用コンピュータと関連して機能するソフトウェアと、アプリケーション専用集積回路（ＡＳＩＣ）との内の少なくともいずれかを用いて実施されても良いことを認識するであろう。また、本発明の実施例が主として方法とノードとの形式で説明されるが、それらがコンピュータプログラム製品において実施されても良いし、また、コンピュータプロセッサとそのプロセッサに結合したメモリとを有するシステムにおいて実施されても良く、そのメモリには、ここで開示する機能を実行する１つ以上のプログラムが符号化されていることも認識されるであろう。
【００２２】
Ｅ−ＵＴＲＡＮにおけるＯＴＤＯＡ位置決めを行うシナリオの例に関した非限定的な一般的な環境下において、複数の実施例について説明する。ここで、ＯＴＤＯＡ測定は複数のセルから送信されるＰＲＳに基づいてなされる。しかしながら、その実施例は位置決めのためのセルにユニークな参照信号に基づいた位置決め測定をサポートするどんな無線アクセスネットワーク技術にも適用されることに注意されたい。
【００２３】
首尾一貫しないＲＳＴＤ測定が、複数のＴｘ点をもつセルを複数展開するネットワークにおいて無線デバイスについての位置決め推定をあいまいにするという結果をもたらすという問題が次の解決策により扱われる。その解決策では、複数のＰＲＳが１つの選択されたＴｘ点から、又は、選択された複数のＴｃ点のサブセットからのみ送信されるようにして、ｅノードＢにおいて複数のＴｘ点を備えるセルを構成設定することが可能である。このようにして、ＯＴＤＯＡ位置決め方法の原理を変更することなく、あいまいではないＰＲＳに基づく複数のＵＥの位置決めが、例えば、複合セル展開においても可能である。
【００２４】
既に上述したように、複数のＴｘ点を備えるセルは複合セルと呼ばれる。複合セルは、複数のセクタのセットからなるように見ることができる。そこで、各セクタが１つのＴｘ点に関係づけられる。本発明の実施例に従えば、複合セルのＴｘ点が複数のＰＲＳを送信するかどうかを構成設定可能である。従って、そのような複数のＴｘからのＰＲＳ送信が位置決め精度を低下させるのであれば、複合セルのあるＴｘ点ではＰＲＳ送信を不能にすることができる。たいていの場合、これにより複合セルについてもあいまいではない位置推定が可能になる。
【００２５】
図４ａ〜図４ｄは、どんなシナリオにおいてあるセルのＰＲＳ送信を不能にできるのかが位置決め性能に関して利点があるのかを例証するために、複合セルについての幾つかの予見されるシナリオを図示している。これらの図において、円、又は、楕円はそのセルの１つのＴｘ点に対応するセクタを示している。
【００２６】
図４ａは、複数の重複するピコセクタ４０２ａ−ｃを備えたマクロセクタ４０１を図示している。この場合、マクロセクタ４０１は、そのセルの全体領域をカバーしている。もし、同じＰＲＳがマクロセクタ４０１と複数のピコセクタ４０２の両方から送信されるなら、マクロセクタのＴｘ点と１つ以上のピコセクタのＴｘ点の両方から受信されるＰＲＳの測定は、大きな位置決めエラーの原因になる。それ故に、ＰＲＳは、マクロセクタ４０１のＴｘ点からのみ送信されるように構成されねばならない。
【００２７】
図４ｂは、複数の屋内のかなり深い所にあるピコセクタ４０４ａ−ｃを備えたマクロセクタ４０３を図示している。この場合、マクロセクタ４０３は、ピコセクタ４０４ａ−ｃを十分にカバーしておらず、マクロセクタからのＲＰＳは、複数のピコセクタの１つの領域に位置するＵＥにより検出されないかもしれない。しかしながら、もしＰＲＳがそのセルの全てのセクタのＴｘ点から送信されるなら、問題は図４ａにおけるのと同じである。それ故に、ＰＲＳは、マクロセクタ４０３のＴｘ点からのみ送信されるように構成されねばならない。
【００２８】
図４ｃは、例えば、各階に１つのセクタを備えたビルディングにおけるように近接して位置する複数のピコセクタ４０５ａ−ｃを備えたセルを図示している。これらのセクタの分離は、例えば、測定とタイミングエラーに関する受入れエラーの原因となるだけかもしれない。それ故に、ＰＲＳは、全てのピコセクタ４０５ａ−ｃの複数のＴｘ点から送信されるように構成されねばならない。
【００２９】
図４ｄは、顕著な地理的な分離があるマクロセクタ４０６ａ−ｃを備えるように展開されたセルを図示している。そのような展開は、例えば、鉄道線路をカバーするように用いられるかもしれない。これらのセクタの分離は、もしＰＲＳが全てのマクロセクタ４０６ａ−ｃの複数のＴｘ点から送信されるなら、大きな位置決めエラーの原因になるかもしれない。それ故に、ＰＲＳは、複数のセクタの１つのみ、例えば、中間のセクタ４０６ｂのみのＴｘ点から送信されるように構成されねばならない。ＰＲＳは他の参照信号よりも良好な聴取性をもつなら、それはおそらくとにかくは、他のセクタ４０６ａと４０６ｃの一部においても検出可能であるかもしれない。
【００３０】
図５ａは、無線通信システムの第１のＲＢＳにおいて、セルにおいて位置決めのための参照信号を送信する方法を示すフローチャートである。その参照信号は、例えば、ＰＲＳであっても良く、第１のＲＢＳはＥ−ＵＴＲＡＮのｅノードＢであっても良い。そのセルは、第１のＲＢＳよりホストされ複数のＴｘ点によりサービスを受ける。各Ｔｘ点は、第１の属性の値と関係づけられ、その第１の属性は位置決めのための参照信号の送信が前記関係づけられたＴｘ点に関して可能であるかどうかを示している。この方法は、次のステップを含む。
【００３１】
−５１０：第１の属性の値に基づいて、複数のＴｘ点各々の内の少なくとも１つのＴｘ点を選択する。
【００３２】
−５２０：前記選択された少なくとも１つのＴｘ点だけからセルにおける位置決めのための参照信号を送信する。
【００３３】
この方法は利点は、Ｔｘ点がセルにおいてＰＲＳを送信すべきかどうかが構成設定可能なので、そのセルの全てのＴｘ点が、複合セル展開を用いたネットワークにおいてＯＴＤＯＡ位置決めを用いることを可能にするＰＲＳを送信する必要はないことにある。
【００３４】
本発明の第１の実施例において、セルのセットアップ時に複数のＴｘ点各々に関して第１の属性の値が構成設定される。従って、複数のＴｘ点を備えたセルをセットアップする際に、運用者は、例えば、図４ａ〜図４ｄにおける展開シナリオを参照して上述した選択に従って、特定のＴｘ点に関して、ＰＲＳが送信されなければならないかどうかを構成設定すると良い。１つの実施例では、第１の属性は、ｐｒｓＥｎａｂｌｅｄと名付けられたＢｏｏｌｅａｎ（ｂｏｏｌ）属性である。属性ｐｒｓＥｎａｂｌｅｄは、１つ以上のＴｘ点オブジェクト６０２に関係した１つのオブジェクト６０１を備えるセルをモデリングする図６ａにおける管理されたオブジェクトモデルによって図示されるように、セルの各Ｔｘ点に関して構成設定される。そのセルと複数のＴｘ点との間の１対多数の関係は、そのモデルのオブジェクト６０１とオブジェクト６０２との間の“１”と“＊”とによって目に見えるように示されている。ｐｒｓＥｎａｂｌｅｄの値は、ＰＲＳを送信すべきＴｘ点に関してはｔｒｕｅを設定するように構成され、そのセルにおいてＰＲＳを送信すべきではないＴｘ点に関してはｆａｌｓｅを設定するように構成される。そのセルがアンロックされ使用されるとき、そのセルにサービスを行うｅノードＢは、ｔｒｕｅに設定された属性ｐｒｓＥｎａｂｌｅｄを備えたセルの１つ以上のＴｘ点を選択し、その選択されたＴｘ点からのみ、図５ａを参照して上述した方法に従って、ＰＲＳを送信する。上述した図４ａに従う展開においては、マクロセクタのＴｘ点だけがｔｒｕｅに設定された属性ｐｒｓＥｎａｂｌｅｄをもつように構成設定され、従って、それだけがＰＲＳを送信するＴｘ点になる。
【００３５】
図７ａは、第１の実施例に従うｅノードＢ７４０におけるセル７５０の構成の例を示すシグナリング図である。この例において、セル７５０は、２つのＴｘ点７６１、７６２をもつ。
【００３６】
−７０１：運用者７３０は構成設定命令Ｃｏｎｆｉｇｕｒｅ  ＣｅｌｌをｅノードＢ７４０に送信して、セル７５０の構成設定を行う。この命令において、運用者７３０は複数のＴｘ点、即ち、第１のＴｘ点７６１と第２のＴｘ点７６２を用いることを示す。
【００３７】
−７０２：ｅノードＢ７４０はトリガがかけられ、セル７５０を構成設定する（ＣｏｎｆｉｇｕｒｅＣｅｌｌ（））。
【００３８】
−７０３：運用者７３０は第１のＴｘ点７６１に関する構成設定命令Ｃｏｎｆｉｇｕｒｅ  ＴｘＰｏｉｎｔをｅノードＢ７４０に送信する。この命令において、運用者７３０は属性ｐｒｓＥｎａｂｌｅの値を示す。この場合、このＴｘ点７６１がＰＲＳを送信しなければならないことを意味するｔｒｕｅの値が示される。
【００３９】
−７０４：ｅノードＢ７４０はトリガがかけられ、Ｔｘ点７６１における属性値を設定する（ｓｅｔＰｒｓＥｎａｂｌｅ（ｔｒｕｅ））。
【００４０】
−７０５：運用者７３０は第２のＴｘ点７６２に関する構成設定命令Ｃｏｎｆｉｇｕｒｅ  ＴｘＰｏｉｎｔをｅノードＢ７４０に送信する。この命令において、運用者７３０は属性ｐｒｓＥｎａｂｌｅの値を示す。この場合、このＴｘ点７６２がＰＲＳを送信してはならないことを意味するｆａｌｓｅの値が示される。
【００４１】
−７０６：ｅノードＢ７４０はトリガがかけられ、Ｔｘ点７６２における属性値を設定する（ｓｅｔＰｒｓＥｎａｂｌｅ（ｆａｌｓｅ））。
【００４２】
構成設定が終了後にセルのロックを解放するステップについても、以下に説明する。
【００４３】
−７０７：運用者７３０はアンロック命令ｕｎｌｏｃｋＣｅｌlをｅノードＢ７４０に送信して、セル７５０をアンロックしてそれを運用状態にする。
【００４４】
−７０８：ｅノードＢ７４０にセル７５０をアンロックするようトリガがかけられる。
【００４５】
−７０９ａ、７０９ｂ：セル７５０は２つのＴｘ点７６１、７６２に対して送信開始を示すようにトリガがかけられる（ｓｔａｒｔＴｒａｎｓｍｉｓｓｉｏｎ）。
【００４６】
−７１０：第１のＴｘ点７６１だけがＰＲＳを送信すべきであることを示す属性ｐｒｓＥｎａｂｌｅｄをもっているので、ＰＲＳをＵＥ７７０に送信するのはこのＴｘ点７６１だけである。
【００４７】
上述し図５ｂにおけるフローチャートにおいて模式的に図示した第１の実施例に対する代替案となる第２の実施例に従えば、この方法は、図５ａを参照して既に説明したステップ５１０と５２０に加えて、次のステップを有する。
【００４８】
−５０５：セルに関係づけられる第２の属性の値に基づいて複数のＴｘ点各々に関する第１の属性の値を設定するステップである。第２の属性の値は、セルのタイプを示す。第１の属性の値はまた、最大送信電力と複数のＴｘ点各々のアンテナ位置との内の少なくともいずれかに基づいて設定されても良い。
【００４９】
第２の実施例の一例では、第１の属性は、ｐｒｓＥｎａｂｌｅｄと名付けられたＢｏｏｌｅａｎ属性であり、それは既に上述のようにセルの各Ｔｘ点と関係づけられる。第１の属性に加えて、そのセルに関係する第２の属性が導入される。第２の属性はセルのタイプを示し、それ故にこの例ではｃｅｌｌＴｙｐｅと名付けられる。このことは、属性ｃｅｌｌＴｙｐｅを有する１つのオブジェクト６０３を備えるセルをモデリングする図６ｂにおける管理されたオブジェクトモデルにおいて図示されている。セルオブジェクト６０３は属性ｐｒｓＥｎａｂｌｅｄ：ｂｏｏｌを備える１つ以上のＴｘ点オブジェクト６０４に関係している。そのセルにおける属性ｃｅｌｌＴｙｐｅの値に基づいて、そしておそらくはそのＴｘ点のアンテナ位置を示す属性ａｎｔｅｎｎａＰｏｓｉｔｉｏｎの値とそのＴｘ点の最大送信電力を示す属性ｍａｘＴｒａｎｓｍｉｓｓｉｏｎＰｏｗｅｒの値との内の少なくともいずれかにも基づいて、ｅノードＢはＴｘ点がＰＲＳを送信すべきかどうかを決定し、従って第１の属性ｐｒｓＥｎａｂｌｅｄを設定することができる。
【００５０】
第２の属性ｃｅｌｌＴｙｐｅがそのセルタイプが図４ａ〜図４ｂを参照して先に説明したセルに対応した、マクロ／ピコタイプのセルであることを示すなら、ｅノードＢは、例えば、属性ｍａｘＴｒａｎｓｍｉｓｓｉｏｎＰｏｗｅｒの最大値をもつＴｘ点に対しては第１の属性ｐｒｓＥｎａｂｌｅｄにｔｒｕｅを設定する。
【００５１】
第２の属性ｃｅｌｌＴｙｐｅがそのセルタイプが図４ｃを参照して先に説明したセルに対応した、タイプのセルであることを示すなら、ｅノードＢは、全てのＴｘ点に対して第１の属性ｐｒｓＥｎａｂｌｅｄにｔｒｕｅを設定する。
【００５２】
第２の属性ｃｅｌｌＴｙｐｅがそのセルタイプが図４ｄを参照して先に説明したセルに対応した、タイプのセルであることを示すなら、ｅノードＢは、属性ａｎｔｅｎｎａＰｏｓｉｔｉｏｎの値がそれは中間のＴｘ点であることを示すＴｘ点に対しては第１の属性ｐｒｓＥｎａｂｌｅｄにｔｒｕｅを設定する。
【００５３】
上述した第２の実施例と組みわせられる第３の実施例において、第２の属性の値は、セルのセットアップ時に構成設定される。上述した第１の実施例と比べた第３の実施例の付加的な利点は、セルをセットアップする際に、各Ｔｘ点に対して１つの属性、即ち、属性ｐｒｓＥｎａｂｌｅｄを構成設定する代わりに、そのセルに対して１つの属性、即ち、属性ｃｅｌｌＴｙｐｅを構成設定する必要があるだけで良い点にある。これは構成設定の複雑さをより小さいものとし、ｅノードＢのより高度な自己構成設定のためによる構成設定時間を短縮する。
【００５４】
図７ｂは、第３の実施例に従うｅノードＢ７４０におけるセル７５０の構成の例を示すシグナリング図である。この例において、セル７５０は、２つのＴｘ点７６１、７６２をもつ。
【００５５】
７１１−運用者７３０は構成設定命令Ｃｏｎｆｉｇｕｒｅ  ＣｅｌｌをｅノードＢ７４０に送信して、セル７５０の構成設定を行う。この命令において、運用者７３０は複数のＴｘ点、即ち、第１のＴｘ点７６１と第２のＴｘ点７６２を用いることを示すとともに、ｃｅｌｌＴｙｐｅ属性値を示す。
【００５６】
７１２−ｅノードＢ７４０はトリガがかけられ、２つのＴｘ点についての属性ｐｒｓＥｎａｂｌｅの値を決定する。第１のＴｘ点７６１はｐｒｓＥｎａｂｌｅ＝ｔｒｕｅであり、第２のＴｘ点７６２はｐｒｓＥｎａｂｌｅ＝ｆａｌｓｅであるように決定される。
【００５７】
７１３−ｅノードＢ７４０はトリガがかけられ、セル７５０を構成設定する（ＣｏｎｆｉｇｕｒｅＣｅｌｌ（））。
【００５８】
７１４ａ，７１４ｂ−ｅノードＢ７４０は、上述したステップ７１２において何が決定されるのかに従って、２つのＴｘ点７６１、７６２における第１の属性置を設定する（ｓｅｔＰｒｓＥｎａｂｌｅ（ｔｒｕｅ／ｆａｌｓｅ））。
【００５９】
構成設定が終了後にセルのロックを解放するステップは、この場合は図示されていないが、図７ａを参照して上述したのと同じである。
【００６０】
第３の実施例に対する代替案である第４の実施例において、図５ｂにも図示されているように、その方法はさらに次のステップを有する。
【００６１】
−５００：次の送信点特性、即ち、搬送波周波数、最大送信電力、アンテナ高、経路損失の内の少なくとも１つに基づいて、複数のＴｘ点各々のカバレッジを推定する。
【００６２】
−５０１：前記推定されたカバレッジと前記複数のＴｘ点各々についてのアンテナ位置とに基づいて、第２の属性の値を設定する。
【００６３】
第４の実施例では、セルの複数のＴｘ点に関係した特性に基づいて、属性ｃｅｌｌＴｙｐｅもＲＢＳにより設定される。属性ａｎｔｅｎｎａＰｏｓｉｔｉｏｎの値によって与えられるアンテナ位置とともにセルの推定カバレッジが用いられてセルの展開を決定し、従って、属性ｃｅｌｌＴｙｐｅの値も設定される。その利点は、ＲＢＳ自身が第１の属性と第２の属性の両方を決定し設定するので、運用者からのさらなる入力の必要はないという点にある。カバレッジ推定は、セルカバレッジのデメンジョニングがどのようになされるのかと同様な方法でなされると良い。セルカバレッジのデメンジョニングにおいて、カバレッジ要件とは、一定のビット速度がそのカバレッジ領域では達成されねばならないというものである。入力パラメータは、ＲＢＳ送信電力、想定されるＵＥ電力、バンド幅、及び、周波数バンドである。セル又はセクタカバレッジは、信号減衰、通常は、セル境界におけるメディアン信号減衰として表現される。そのカバレッジ推定は信号減衰の低い値で開始し、そのカバレッジ要件にそれ以上合致できなくなるまでその値を増加させていくことにより実行される。従って、その最終値は推定カバレッジを与えるのである。
【００６４】
図７ｃは、第４の実施例に従うｅノードＢ７４０におけるセル７５０の構成の例を示すシグナリング図である。この例において、セル７５０は、２つのＴｘ点７６１、７６２をもつ。
【００６５】
７１５−運用者７３０は構成設定命令Ｃｏｎｆｉｇｕｒｅ  ＣｅｌｌをｅノードＢ７４０に送信して、セル７５０の構成設定を行う。この命令において、運用者７３０は複数のＴｘ点、即ち、第１のＴｘ点７６１と第２のＴｘ点７６２を用いることを示す。しかしながら、この実施例では、ｃｅｌｌＴｙｐｅ属性値は必要ない。
【００６６】
７１６−ｅノードＢ７４０はトリガがかけられ、セルカバレッジを推定し、そのセルカバレッジ推定とアンテナ位置とに基づいてｃｅｌｌＴｙｐｅ属性の値を決定する。ｃｅｌｌＴｙｐｅ属性の値に基づいて、ｅノードＢはそれから、図７ｂを参照して上述したのと同様に、２つのＴｘ点についての属性ｐｒｓＥｎａｂｌｅの値を決定する。従って、第１のＴｘ点７６１はｐｒｓＥｎａｂｌｅ＝ｔｒｕｅであり、第２のＴｘ点７６２はｐｒｓＥｎａｂｌｅ＝ｆａｌｓｅであるように決定される。
【００６７】
７１７−ｅノードＢ７４０はトリガがかけられ、セル７５０を構成設定する（ＣｏｎｆｉｇｕｒｅＣｅｌｌ（））。
【００６８】
７１８ａ，７１８ｂ−ｅノードＢ７４０は、上述したステップ７１６において何が決定されるのかに従って、２つのＴｘ点７６１、７６２における第１の属性置を設定する（ｓｅｔＰｒｓＥｎａｂｌｅ（ｔｒｕｅ／ｆａｌｓｅ））。
【００６９】
構成設定が終了後にセルのロックを解放するステップは、この場合は図示されていないが、図７ａを参照して上述したのと同じである。
【００７０】
本発明の一実施例において、それは、第２の実施例と第３の実施例と第４の実施例とのいずれかとを組み合わせても良いのであるが、そのような実施例において、複数のＴｘ点の少なくとも１つは第２のＲＢＳにより管理される。この場合、複数のＴｘ点各々に関する第１の属性の値を設定するステップ１０５は、次のステップを有する。
【００７１】
−  第１のＲＢＳにより管理される複数のＴｘ点各々に関する第１の属性の値を設定する。
【００７２】
−  第２のＲＢＳにより管理される複数のＴｘ点各々に関する第１の属性の値を設定するために第２のＲＢＳに対して要求を送信する。
【００７３】
セルは第１のＲＢＳよりホストされるが、複数のセルの送信点のいくつかは、第２のＲＢＳにより管理されても良く、そして、それ故に、第１の属性を設定する要求は、そのセルとその複数のＴｘ点の完全な構成設定のために、これらのＴｘ点を管理する第２のＲＢＳへと送信されねばならない。
【００７４】
無線通信システムの第１のＲＢＳ８００は図８のブロック図に模式的に図示されている。第１のＲＢＳ８００は、セル８３０において位置決めのための参照信号を送信するよう構成される。そのセルは第１のＲＢＳよりホストされ複数のＴｘ点８４０ａ，８４０ｂ，８４０ｃによりサービスを受ける。各Ｔｘ点は第１の属性の値と関係づけられ、第１の属性は位置決めのための参照信号の送信が前記関係づけられたＴｘ点に関して可能であるかどうかを示している。第１のＲＢＳは、第１の属性の値に基づいて前記複数のＴｘ点の内の少なくとも１つのＴｘ点を選択するよう構成された処理回路８０１を有する。また、第１のＲＢＳは、その選択された少なくとも１つのＴｘ点だけからそのセルにおける位置決めのための参照信号を送信するよう構成された送信器８０２を有する。
【００７５】
第１の実施例に従えば、第１の属性の値は、セルのセットアップにおいて複数のＴｘ点各々に対して構成設定される。
【００７６】
第２の実施例に従えば、処理回路８０１は、セルに関係づけられる第２の属性の値に基づいて複数のＴｘ点各々に関する第１の属性の値を設定するようさらに構成される。第２の属性の値は、セルのタイプを示す。処理回路８０１は、最大送信電力と複数のＴｘ点各々のアンテナ位置との内の少なくとも１つに基づいて、第１の属性の値を設定するよう構成されても良い。
【００７７】
第３の実施例に従えば、第２の属性の値は、セルのセットアップにおいて構成設定される。
【００７８】
第４の実施例に従えば、処理回路８０１はさらに、次の送信点特性、即ち、搬送波周波数、最大送信電力、アンテナ高、経路損失の内の少なくとも１つに基づいて、複数のＴｘ点各々のカバレッジを推定するよう構成される。さらにその上、処理回路８０１は、推定されたカバレッジと複数のＴｘ点各々についてのアンテナ位置とに基づいて第２の属性の値を設定するよう構成される。
【００７９】
本発明の一実施例において、それは、第２の実施例と第３の実施例と第４の実施例とのいずれかとを組み合わせても良いのであるが、そのような実施例において、複数のＴｘ点の少なくとも１つは第２のＲＢＳにより管理されるよう構成される。第１の無線基地局はさらに、第２のＲＢＳへの通信インタフェース８０３を有する。処理回路８０１は、第１のＲＢＳにより管理される複数のＴｘ点各々に関する第１の属性の値を設定することにより、複数のＴｘ点各々に関する第１の属性の値を設定し、通信インタフェース８０３を介して第２のＲＢＳに対して要求を送信するよう構成される。その送信される要求は、第２のＲＢＳにより管理される複数のＴｘ点各々に関して第１の属性の値を設定するための要求である。図８はまた、複数のＴｘ点８４０ｃの１つを管理する第２のＲＢＳ８２０を図示している。また、第２のＲＢＳは、処理回路８２１、送信器８２２、通信インタフェース８２３を有している。さらにその上、この図では図示されていないが、第１のＲＢＳと第２のＲＢＳとは通常、受信器を備えている。
【００８０】
図８における実施例を記述する代替的な方法において、第１のＲＢＳ８００は、単一のユニットでも複数のユニットでも良いが、中央処理ユニット（ＣＰＵ）を備える。さらにその上、第１のＲＢＳ８００は、少なくとも１つのコンピュータプログラム製品（ＣＰＰ）を、例えば、ＥＥＰＲＯＭ（電気的消去可能プログラム可能読出し専用メモリ）、フラッシュメモリ、又は、ディスクドライブのような不揮発性メモリの形式で備える。ＣＰＰは、コンピュータプログラムを有し、それは第１のＲＢＳ上で実行されるとき、ＣＰＵに図５ａ〜図５ｂに関して先に説明した手順のステップを実行させるコード手段を含む。言い換えると、前記コード手段がＣＰＵで実行されるとき、それらは図８の第１のＲＢＳ８００における処理回路８０１に対応している。
【００８１】
上述した実施例はただ例として与えられたのであって発明を限定するものではない。添付した請求の範囲の中にある別の解決策、使用法、目的、機能も可能である。
【図１】
2016500951.tif 000003
【図２ａ】
2016500951.tif 000004
【図２ｂ】
2016500951.tif 000005
【図２ｃ】
2016500951.tif 000006
【図３ａ】
2016500951.tif 000007
【図３ｂ】
2016500951.tif 000008
【図４ａ】
2016500951.tif 000009
【図４ｂ】
2016500951.tif 000010
【図４ｃ】
2016500951.tif 000011
【図４ｄ】
2016500951.tif 000012
【図５ａ】
2016500951.tif 000013
【図５ｂ】
2016500951.tif 000014
【図６ａ】
2016500951.tif 000015
【図６ｂ】
2016500951.tif 000016
【図７ａ】
2016500951.tif 000017
【図７ｂ】
2016500951.tif 000018
【図７ｃ】
2016500951.tif 000019
【図８】
2016500951.tif 000020
【国際調査報告】
2016500951.tif 000021
2016500951.tif 000022
2016500951.tif 000023
2016500951.tif 000024